(57)【要約】      （修正有）【課題】顕微鏡などにより得られる像を、携帯端末によって撮影・記録する場合に、携帯端末のカメラのレンズを適切にアイポイントに位置づけることを可能とするアイピース用アダプタを、シンプルな構造をもって低廉に提供する。【解決手段】アイピース４に取り付けられて、アイピース４からの像を携帯端末５のカメラにより撮影するためのアダプタ１である。外筒体２の内面２ａに外面を密着させ、かつ、外筒体２の筒軸方向に沿った摺動調整可能な状態で、外筒体２に組み合わされた外筒体２よりも短寸の内筒体３を備える。アイピース４を外筒体２の一端２ｂからアイピース４が内筒体３の一端３ｂに突き当たる位置まで受入可能とすると共に、外筒体２の他端２ｃを携帯端末５におけるカメラのレンズ５ａの周囲の外面５ｂに対する接触部２ｄとする。【選択図】図３
0003220262.tif 000002
【実用新案登録請求の範囲】
【請求項１】
顕微鏡、天体望遠鏡、又は双眼鏡のアイピースに取り付けられて、前記アイピースからの像を携帯端末のカメラにより撮影するためのアダプタであって、
外筒体と、
前記外筒体の内面に外面を密着させ、かつ、前記外筒体の筒軸方向に沿った摺動調整可能な状態で、前記外筒体に組み合わされた前記外筒体よりも短寸の内筒体とを備え、
前記アイピースを前記外筒体の一端から前記アイピースが前記内筒体の一端に突き当たる位置まで受入可能とすると共に、
前記外筒体の他端を前記携帯端末における前記カメラのレンズの周囲の外面に対する接触部とさせてなる、アイピース用アダプタ。
【請求項２】
前記内筒体に対し、１２Ｎ以上の外力を作用させたときに、前記摺動が生じるようにしてなる、請求項１に記載のアイピース用アダプタ。
【請求項３】
前記内筒体は、その筒軸方向に亘った分断部を一カ所備え、弾性変形状態で前記外筒体内にはめ込まれてなる、請求項２に記載のアイピース用アダプタ。
【請求項４】
前記内筒体の内面を黒色にしてなる、請求項３に記載のアイピース用アダプタ。
【考案の詳細な説明】
【技術分野】
【０００１】
この考案は、顕微鏡、天体望遠鏡、又は双眼鏡によって得られる像を、携帯端末のカメラによって容易且つ適切に撮影できるようにするアイピース（接眼レンズ）用アダプタに関する。
【背景技術】
【０００２】
現在普及しているスマートフォンやタブレットなどの携帯端末にはカメラが内蔵されている。ここで、顕微鏡などにより得られる像を、こうした携帯端末によって撮影・記録する場合、携帯端末のカメラのレンズを顕微鏡などのアイピースにおけるアイポイントに位置づける必要が生じることとなる。
【考案の概要】
【考案が解決しようとする課題】
【０００３】
この考案が解決しようとする主たる問題点は、顕微鏡などにより得られる像を、携帯端末によって撮影・記録する場合に、携帯端末のカメラのレンズを適切に前記アイポイントに位置づけることを可能とするアダプタを、シンプルな構造をもって低廉に供給可能とする点にある。
【課題を解決するための手段】
【０００４】
前記課題を達成するために、この考案にあっては、アイピース用アダプタを、顕微鏡、天体望遠鏡、又は双眼鏡のアイピースに取り付けられて、前記アイピースからの像を携帯端末のカメラにより撮影するためのアダプタであって、
外筒体と、
前記外筒体の内面に外面を密着させ、かつ、前記外筒体の筒軸方向に沿った摺動調整可能な状態で、前記外筒体に組み合わされた前記外筒体よりも短寸の内筒体とを備え、
前記アイピースを前記外筒体の一端から前記アイピースが前記内筒体の一端に突き当たる位置まで受入可能とすると共に、
前記外筒体の他端を前記携帯端末における前記カメラのレンズの周囲の外面に対する接触部とさせてなる、ものとした。
【０００５】
アダプタは、アイピースを外筒体の一端からアイピースが内筒体の一端に突き当たる位置まで外筒体内に受入させることでアイピースに簡単に取り付けることができ、また、その取り外しも容易である。アダプタの取り付けられたアイピースと外筒体の他端（接触部）との距離は一定に維持されることから、この他端（接触部）に携帯端末におけるカメラのレンズの周囲の外面を接触させたときにこのレンズがアイピースのアイポイントに位置づけられるようになっていれば、顕微鏡などのから得られる像を携帯端末によって適切に撮影・記録することができる。前記距離は、所定の外力を内筒体に作用させて内筒体を摺動させることで、調整することができる。
【０００６】
前記内筒体に対し、１２Ｎ以上の外力を作用させたときに、前記摺動が生じるようにしておくことが、この考案の態様の一つとされる。
【０００７】
また、前記内筒体を、その筒軸方向に亘った分断部を一カ所備え、弾性変形状態で前記外筒体内にはめ込まれてなるものとすることが、この考案の態様の一つとされる。
【０００８】
また、前記内筒体の内面を黒色にしておくことが、この考案の態様の一つとされる。
【考案の効果】
【０００９】
この考案によれば、顕微鏡などにより得られる像を、携帯端末によって撮影・記録する場合に、携帯端末のカメラのレンズを適切に前記アイポイントに位置づけることを可能とするアダプタを、シンプルな構造をもって低廉に供給することができる。
【図面の簡単な説明】
【００１０】
【図１】図１は、この考案の一実施の形態にかかるアダプタの斜視図である。
【図２】図２は、前記アダプタの分解斜視図である。
【図３】図３は、前記アダプタの使用状態を示した断面構成図である。
【考案を実施するための形態】
【００１１】
以下、図１〜図３に基づいて、この考案の典型的な実施の形態について、説明する。この考案にかかるアダプタ１は、顕微鏡、天体望遠鏡、又は双眼鏡のアイピース４（接眼レンズ）に取り付けられて、この顕微鏡などによって得られる像を、携帯端末５のカメラ（そのレンズ５ａ以外の図示は省略する。）によって容易且つ適切に撮影できるようにするものである。
【００１２】
かるアダプタ１は、外筒体２と、内筒体３とから構成される。外筒体２及び内筒体３は、典型的には、金属や合成樹脂から構成される。
【００１３】
内筒体３は、前記外筒体２の内面２ａに外面３ａを密着させ、かつ、前記外筒体２の筒軸方向（図１における上下方向）に沿った摺動調整可能な状態で、前記外筒体２に組み合わされており、前記外筒体２よりも短寸となっている。すなわち、内筒体３の全長は、外筒体２の全長よりも小さくなっている。
【００１４】
図示の例では、外筒体２は、筒両端を共に開放させた円筒体となっている。外筒体２の内径は、装着対象となるアイピース４の鏡筒４ａの外径と実質的に等しいか、それよりもやや大きい寸法となるようにする。
【００１５】
また、図示の例では、内筒体３も筒両端を共に開放させた円筒体となっている。図示の例では、内筒体３の全長は、外筒体２の約６分の１となっている。内筒体３の内径は、装着対象となるアイピース４の鏡筒４ａの外径よりもやや小さい寸法となるようにする。
【００１６】
これにより、前記アイピース４は、前記外筒体２の一端２ｂから前記アイピース４が前記内筒体３の一端３ｂに突き当たる位置まで受入可能とされる。なお、図１〜図３における外筒体２の一端２ｂは、アダプタ１を上下逆に使用する場合は後述の接触部２ｄとなる他端２ｃとなる。
【００１７】
図示の例では、前記受入終了状態（図３参照）において、内筒体３の一端３ｂは、アイピース４の覗き込み側（図３における上側）に位置されるこのアイピース４を構成するレンズ４ｂの外縁４ｃの外側において、アイピース４の覗き込み側の端面の縁部４ｄに接するようになっている。なお、図１及び図３の場合と上下逆にアダプタ１を使用する場合は図１及び図３における内筒体３の他端３ｃがアイピース４の覗き込み側の端面の縁部４ｄに接する一端３ｂとなる。
【００１８】
また、前記外筒体２の他端２ｃは、前記携帯端末５における前記カメラのレンズ５ａの周囲の外面５ｂに対する接触部２ｄとなっている。
【００１９】
アダプタ１は、アイピース４を外筒体２の一端２ｂからアイピース４が内筒体３の一端３ｂに突き当たる位置まで外筒体２内に受入させることでアイピース４に簡単に取り付けることができ、また、その取り外しも容易である。アダプタ１の取り付けられたアイピース４と外筒体２の他端２ｃ（接触部２ｄ）との距離ｘは一定に維持されることから、この他端２ｃ（接触部２ｄ）に携帯端末５におけるカメラのレンズ５ａの周囲の外面５ｂを接触させたときにこのレンズ５ａがアイピース４のアイポイントに位置づけられるようになっていれば、顕微鏡などのから得られる像を携帯端末５によって適切に撮影・記録することができる。より具体的には、携帯端末５のカメラのレンズ５ａの光軸と、アイピース４の光軸とが仮想の同一の直線上に位置するように、外筒体２の他端２ｃ（接触部２ｄ）に携帯端末５のカメラのレンズ５ａの周囲の外面５ｂを当接させる。
【００２０】
前記距離ｘは、所定の外力を内筒体３に作用させて内筒体３を摺動させることで、調整することができる。典型的には、前記受入終了状態（図３参照）において、外筒体２を下方に押し下げるようにすれば、内筒体３にこれを押し上げる向きの外力を作用させることができ、これによって所定の距離内筒体３を上方に向けて摺動させることができる。
【００２１】
前記摺動は、内筒体３に対し、１２Ｎ以上の外力を作用させたときに、生じるようにしておくことが好ましい。このようにしておけば、アイピース４へのアダプタ１の装着操作、外筒体２の他端２ｃ（接触部２ｄ）に携帯端末５のカメラのレンズ５ａの周囲の外面５ｂを当接させる操作においては、内筒体３の摺動が生じないようにすることができ、一度設定した前記距離ｘが予期せず変わることがないようにできる一方で、前記距離ｘの調整を過度な外力を作用することなくスムースに行うことが可能とされる。
【００２２】
また、前記内筒体３の内面３ｆは黒色にしておくこおくことが好ましい。このようにしておけば、アイピース４から光を内筒体３が反射して撮影される像に影響を与えることがないようにすることができる。
【００２３】
また、図示の例では、前記内筒体３は、その筒軸方向に亘った分断部３ｄを一カ所備え、弾性変形状態で前記外筒体２内にはめ込まれている。図示の例では、内筒体３は外筒体２と内外径を共に等しくする筒体にその一部を切除することで前記分断部３ｄを形成させ、この分断部３ｄを挟んで向き合う端末３ｅ間の距離ｘを狭める向きに内筒体３を弾性変形させながら外筒体２にはめ込ませている。このようにすることで、前記所定の外力を作用させた場合に前記の摺動を生じさせる状態で、外筒体２と内筒体３とを容易且つ適切に組み合わせることができる。
【００２４】
なお、当然のことながら、本考案は以上に説明した実施態様に限定されるものではなく、本考案の目的を達成し得るすべての実施態様を含むものである。
【符号の説明】
【００２５】
１  アダプタ
２  外筒体
２ａ  内面
２ｂ  一端
２ｃ  他端
２ｄ  接触部
３  内筒体
３ｂ  一端
４  アイピース
５  携帯端末
５ａ  レンズ
５ｂ  外面
【図１】
0003220262.tif 000003
【図２】
0003220262.tif 000004
【図３】
0003220262.tif 000005